Podtech/llm-jp-corpus-v4-ja_patent huggingface dataset:
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
電子取引システムにおいてダイナミックペグ注文を行うための装置であって、
関心アイテムに関する取引注文を受け付けるように構成された第１の通信インタフェースと、
少なくとも１つの他の電子取引システムから前記関心アイテムの価格データを受信するように構成された第２の通信インタフェースと、
前記第１及び第２の通信インタフェースに動作可能に接続され、前記受信した価格データに基づいて前記取引注文の価格計らいを変更するように構成された照合エンジンと、を備え、
前記照合エンジンは、前記受信した価格データが前記関心アイテムに関する相場の不安定を示す場合、前記取引注文の実行を第１の価格設定範囲に制限し、
前記照合エンジンは、前記受信した価格データが前記関心アイテムに関する相場の安定を示す場合、前記第１の価格設定範囲よりも積極的な第２の価格設定範囲内での前記取引注文の約定を許可し、
さらに、少なくとも前記第１の通信インタフェースに動作可能に接続され、受信した取引注文を含むデータ信号の送信に追加の待ち時間を前記照合エンジンに課すように構成された注文遅延コンポーネントを備え、
前記追加の待ち時間は、前記照合エンジンが、前記取引注文の発行の前に発行された前記関心アイテムの前記価格データの更新を前記少なくとも１つの他の電子取引システムから受信し、処理する十分な時間を持つ前に、前記関心アイテムに関する前記取引注文が前記照合エンジンによって処理されないように、選択された物理パラメータの物理媒体を介して前記データ信号をルーティングすることによって前記データ信号に課される、装置。
【請求項２】
更に、前記取引注文を調べ、前記取引注文がダイナミックペグ注文（ＤＰＯ）の所定の要件を満たすかを判定するように構成されている請求項１記載の装置。
【請求項３】
更に、予め定められたアルゴリズム及び前記受信した価格データに基づいて、崩壊相場指標（ＣＱＩ）値を計算するように構成されている請求項１記載の装置。
【請求項４】
更に、前記照合エンジンに前記関心アイテムについての前記相場の不安定又は安定を指示するトリガ信号を発行するように構成されている請求項１記載の装置。
【請求項５】
更に、前記トリガ信号を発行した後、前記トリガ信号を所定の期間維持するように構成されている請求項４記載の装置。
【請求項６】
前記取引注文が売り注文である場合、最良売り気配（ＮＢＯ）価格又は前記取引注文の指値の何れか高い方、又は
前記取引注文が買い注文である場合、最良買い気配（ＮＢＢ）価格又は前記取引注文の指値の何れか低い方において前記取引注文を予約するように更に構成されている請求項１記載の装置。
【請求項７】
前記第１の価格設定範囲は、一端で、
前記取引注文がＮＢＯよりも低い指値を有する売り注文である場合、最良売り気配（ＮＢＯ）価格、又は
前記取引注文がＮＢＢよりも高い指値を有する買い注文である場合、最良買い気配（ＮＢＢ）によって制限される請求項１記載の装置。
【請求項８】
前記第２の価格設定範囲は、一端で、
当該取引注文が売り注文である場合、最良気配（ＮＢＢＯ）仲値価格又は前記取引注文の指値の何れか高い方、又は
当該取引注文が買い注文である場合、最良気配（ＮＢＢＯ）仲値価格又は前記取引注文の指値の何れか低い方によって制限される請求項１記載の装置。
【請求項９】
前記物理媒体は、所望の量の前記追加の待ち時間を達成するように選択された寸法の物理ケーブルである、請求項１記載の装置。
【請求項１０】
電子取引システムにおいてダイナミックペグ注文を行うための装置であって、
関心アイテムに関する取引注文を受け付けるように構成された第１の通信インタフェースと、
少なくとも１つの他の電子取引システムから前記関心アイテムの価格データを受信するように構成された第２の通信インタフェースと、
前記第１及び第２の通信インタフェースに動作可能に接続され、前記受信した価格データに基づいて前記取引注文の価格計らいを変更するように構成された照合エンジンと、を備え、
前記照合エンジンは、前記受信した価格データが前記関心アイテムに関する相場の不安定を示す場合、前記取引注文の実行を第１の価格設定範囲に制限し、
前記照合エンジンは、前記受信した価格データが前記関心アイテムに関する相場の安定を示す場合、前記第１の価格設定範囲よりも積極的な第２の価格設定範囲内での前記取引注文の約定を許可し、
少なくとも前記第１の通信インタフェースに動作可能に接続され、前記取引注文の発行の前に発行された前記関心アイテムの前記価格データの更新を前記少なくとも１つの他の電子取引システムから受信し、処理する十分な時間を持つ前に、前記関心アイテムに関する前記取引注文が前記照合エンジンによって処理されないように、受信した取引注文を含むデータ信号の送信に追加の待ち時間を課すように構成された注文遅延コンポーネントを更に備える装置。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
コンピュータ実施方法であって、
ターゲットデータを求める第１のアクセス要求を受信するステップであって、前記ターゲットデータは、ストレージシステムによって記憶され、前記第１のアクセス要求は、要求識別子に関連付けられた、ステップと、
前記要求識別子を、第１の記憶された識別子として、永続ストレージへ記憶するステップと、
前記ターゲットデータを求める前記第１のアクセス要求を許可するステップと、
不具合後、前記ターゲットデータを求める再開要求を受信するステップであって、前記再開要求は、前記要求識別子に関連付けられた、ステップと、
前記再開要求における前記要求識別子を、永続ストレージにおける１つまたは複数の識別子と比較することによって、前記ターゲットデータが、前記不具合以降、変わっているか否かを決定するステップと、
前記ターゲットデータが、前記不具合以降、変わっていない場合、前記ターゲットデータを求める前記再開要求を許可するステップと、
前記不具合以降、前記ターゲットデータが変わっている場合、前記再開要求を拒否するステップと、
を備える方法。
【請求項２】
前記ストレージシステムは、サーバクラスタ上における共有ファイルシステムである、請求項１に記載の方法。
【請求項３】
前記ターゲットデータが、前記不具合以降、変わっているか否かを決定するステップは、前記再開要求が受信される前に、前記記憶された第１の識別子を、永続ストレージから削除するステップを備える、請求項１に記載の方法。
【請求項４】
前記不具合は、接続割込み、前記ストレージシステムに関連付けられたファイルシステムの分解、又は前記ストレージシステムのリブートの少なくとも一つである、請求項１に記載の方法。
【請求項５】
前記ターゲットデータをロックするステップと、
前記第１のアクセス要求を許可した後、前記第１の識別子を永続ストレージから削除することなく、前記ターゲットデータにおける前記ロックを解除するステップと、
を更に備える、請求項１に記載の方法。
【請求項６】
前記ターゲットデータにおける前記ロックは、第１の期間持続する、請求項５に記載の方法。
【請求項７】
前記第１の期間はゼロである、請求項６に記載の方法。
【請求項８】
コンピュータシステムであって、
コンピュータ実行可能な命令を実行するように構成された少なくとも１つのプロセッサと、
前記少なくとも１つのプロセッサによって実行されたとき、
ターゲットデータを求める第１のアクセス要求を受信するステップであって、前記ターゲットデータは、ストレージシステムによって記憶され、前記第１のアクセス要求は、要求識別子を含む、ステップと、
前記要求識別子を、第１の記憶された識別子として、永続ストレージへ記憶するステップと、
前記ターゲットデータを求める前記第１のアクセス要求を許可するステップと、
不具合後、前記ターゲットデータを求める再開要求を受信するステップであって、前記再開要求は、前記要求識別子を含み、再開要求フラグを含む、ステップと、
前記再開要求における前記要求識別子を、永続ストレージにおける１つまたは複数の識別子と比較することによって、前記ターゲットデータが、前記不具合以降、変わっているか否かを決定するステップと、
前記ターゲットデータが、前記不具合以降、変わっていない場合、前記ターゲットデータを求める前記再開要求を許可するステップと、
前記ターゲットデータが、前記不具合以降、変わっている場合、前記再開要求を拒否するステップと、
を実行するように構成されたストレージシステムを提供する前記コンピュータ実行可能な命令を記憶する少なくとも１つのコンピュータ読取可能なストレージ媒体と、
を備えるコンピュータシステム。
【請求項９】
前記ターゲットデータが、前記不具合以降、変わっているか否かを決定するステップは、前記再開要求が受信される前に、前記記憶された第１の識別子を、永続ストレージから削除するステップを備える、請求項８に記載のコンピュータシステム。
【請求項１０】
前記不具合は、接続割込み、前記ストレージシステムに関連付けられたファイルシステムの分解、又は前記ストレージシステムのリブートの少なくとも一つである、請求項８に記載のコンピュータシステム。
【請求項１１】
前記ストレージシステムは、サーバクラスタ上における共有ファイルシステムである、請求項８に記載のコンピュータシステム。
【請求項１２】
前記ターゲットデータにおける前記ロックは、第１の期間持続する、請求項８に記載のコンピュータシステム。
【請求項１３】
前記第１の期間はゼロである、請求項８に記載のコンピュータシステム。
【請求項１４】
少なくとも１つのプロセッサによって実行されたとき、方法を実行する命令を含むコンピュータ読取可能な媒体であって、前記方法は、
ターゲットデータを求める第１のアクセス要求を受信するステップであって、前記ターゲットデータは、ストレージシステムによって記憶され、前記第１のアクセス要求は、要求識別子に関連付けられた、ステップと、
前記要求識別子を、第１の記憶された識別子として、永続ストレージへ記憶するステップと、
前記ターゲットデータを求める前記第１のアクセス要求を許可するステップと、
不具合後、前記ターゲットデータを求める再開要求を受信するステップであって、前記再開要求は、前記要求識別子に関連付けられた、ステップと、
前記再開要求における前記要求識別子を、永続ストレージにおける１つまたは複数の識別子と比較することによって、前記ターゲットデータが、前記不具合以降、変わっているか否かを決定するステップと、
前記ターゲットデータが、前記不具合以降、変わっていない場合、前記ターゲットデータを求める前記再開要求を許可するステップと、
前記不具合以降、前記ターゲットデータが変わっている場合、前記再開要求を拒否するステップと、
を備える、コンピュータ読取可能な媒体。
【請求項１５】
前記ストレージシステムは、サーバクラスタ上における共有ファイルシステムである、請求項１４に記載のコンピュータ読取可能な媒体。
【請求項１６】
前記ターゲットデータが、前記不具合以降、変わっているか否かを決定するステップは、前記再開要求が受信される前に、前記記憶された第１の識別子を、永続ストレージから削除するステップを備える、請求項１４に記載のコンピュータ読取可能な媒体。
【請求項１７】
前記不具合は、接続割込み、前記ストレージシステムに関連付けられたファイルシステムの分解、又は前記ストレージシステムのリブートの少なくとも一つである、請求項１４に記載のコンピュータ読取可能な媒体。
【請求項１８】
前記ターゲットデータをロックするステップと、
前記第１のアクセス要求を許可した後、前記第１の識別子を永続ストレージから削除することなく、前記ターゲットデータにおける前記ロックを解除するステップと、
を更に備える、請求項１４に記載のコンピュータ読取可能な媒体。
【請求項１９】
前記ターゲットデータにおける前記ロックは、第１の期間持続する、請求項１８に記載のコンピュータ読取可能な媒体。
【請求項２０】
前記第１の期間はゼロである、請求項１９に記載のコンピュータ読取可能な媒体。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
マルチテナントアプリケーションサーバ環境においてグローバルランタイムをサポートするためのシステムであって、
１つ以上のコンピュータを備え、前記１つ以上のコンピュータは、前記１つ以上のコンピュータ上で実行されるアプリケーションサーバ環境を、
前記アプリケーションサーバ環境内において使用することが可能である複数のリソースと、
１つ以上のパーティションとともにを含み、各パーティションは、テナントに関連付けられることが可能であるドメインの区分を提供しており、前記１つ以上のコンピュータは、前記アプリケーションサーバ環境を、さらに、
グローバルランタイムとともに含み、前記グローバルランタイムは、１つ以上のリソースまたはリソースグループを、前記グローバルランタイムで使用されるドメインレベルで特定できるように、前記ドメインに範囲指定される、システム。
【請求項２】
前記ドメイン内のデプロイ可能なリソースのグルーピングを定義するよう、１つ以上のリソースグループテンプレートが使用される、請求項１に記載のシステム。
【請求項３】
ドメインレベルのリソースグループのターゲティングは、リソースグループに、前記リソースグループ内のすべてのリソースが前記リソースグループについて指定されたすべてのターゲットに対してターゲティングされるように、セットすることが可能である、請求項１または２に記載のシステム。
【請求項４】
リソースグループがクラスタに対してターゲティングされるとき、前記リソースグループ内のアプリケーションは、前記クラスタ内の管理されるすべてのサーバ上で実行される、請求項１〜３のいずれか１項に記載のシステム。
【請求項５】
マルチテナントアプリケーションサーバ環境においてグローバルランタイムをサポートするための方法であって、
１つ以上のコンピュータ上で実行されるアプリケーションサーバ環境を含む前記１つ以上のコンピュータにおいて、
前記アプリケーションサーバ環境内において使用することが可能である複数のリソースと、
１つ以上のパーティションとを提供することを含み、各パーティションは、テナントに関連付けられることが可能であるドメインの区分を提供しており、さらに、
グローバルランタイムを提供することを含み、前記グローバルランタイムは、１つ以上のリソースまたはリソースグループを、前記グローバルランタイムで使用されるドメインレベルで特定できるように、前記ドメインに範囲指定される、方法。
【請求項６】
前記ドメイン内のデプロイ可能なリソースのグルーピングを定義するよう、１つ以上のリソースグループテンプレートが使用される、請求項５に記載の方法。
【請求項７】
ドメインレベルのリソースグループのターゲティングは、リソースグループに、前記リソースグループ内のすべてのリソースが前記リソースグループについて指定されたすべてのターゲットに対してターゲティングされるように、セットすることが可能である、請求項５または６に記載の方法。
【請求項８】
リソースグループがクラスタに対してターゲティングされるとき、前記リソースグループ内のアプリケーションは、前記クラスタ内の管理されるすべてのサーバ上で実行される、請求項５〜７のいずれか１項に記載の方法。
【請求項９】
１つ以上のコンピュータシステム上での実行のためのプログラム命令を含むコンピュータプログラムであって、前記プログラム命令は、実行されると、前記１つ以上のコンピュータシステムに請求項５〜８のいずれか１項に記載の方法を実行させる、コンピュータプログラム。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
命令が格納されたプログラムであって、前記命令は、プロセッサによって実行されると、前記プロセッサにセマンティック検索を実行させ、前記セマンティック検索は、
電子テキストコーパスを受取ることと、
前記電子テキストコーパスを複数の文章に分離することと、
各々の文章を構文解析して文章ツリーに変換することと、
ユーザインターフェイスを介して検索クエリを受取ることと、
前記検索クエリを前記文章ツリーのうち１つ以上と一致させることとを含む、プログラム。
【請求項２】
前記セマンティック検索はさらに、
前記検索クエリをクエリツリーに変換することを含み、前記一致させることは、前記クエリツリーを前記文章ツリーのうち１つ以上と一致させることを含む、請求項１に記載のプログラム。
【請求項３】
前記一致させることに応じて、一致させた文章ツリーに対応する文書を前記電子テキストコーパスから提供することをさらに含む、請求項１または２に記載のプログラム。
【請求項４】
前記一致させることに応じて、前記一致させた文章ツリーに対応する改良例を前記検索クエリに提供することをさらに含む、請求項１または２に記載のプログラム。
【請求項５】
前記一致させることに応じて、前記一致させた文章ツリーに対応する感情を前記検索クエリのために抽出することをさらに含む、請求項１または２に記載のプログラム。
【請求項６】
前記電子テキストコーパス外のソースを用いて、前記文章ツリーを豊富にすることをさらに含む、請求項１〜５のいずれか１項に記載のプログラム。
【請求項７】
前記ユーザインターフェイスは前記クエリツリーについて一致する上位語を表示する、請求項２に記載のプログラム。
【請求項８】
前記文章ツリーのうち１つ以上を変更することをさらに含み、各々の文章ツリーは、複数のノードおよび少なくとも１つのエッジを含み、前記変更することは、ノードを拡張させること、ノードを収縮させること、エッジを拡張させること、または、エッジを収縮させることのうち少なくとも１つを含む、請求項１〜７のいずれか１項に記載のプログラム。
【請求項９】
前記クエリツリーは少なくとも１つのノードを含み、
一致させた後、ユーザが、追加のノードを前記クエリツリーに追加し、一致させることを繰り返すことによって、前記セマンティック検索をさらに改良することを可能にすることをさらに含む、請求項２に記載のプログラム。
【請求項１０】
前記検索クエリを受取った後、前記ユーザインターフェイスを介して選択可能な改良検索クエリを提供することをさらに含む、請求項１〜９のいずれか１項に記載のプログラム。
【請求項１１】
セマンティック検索を実行する方法であって、
電子テキストコーパスを受取るステップと、
前記電子テキストコーパスを複数の文章に分離するステップと、
各々の文章を構文解析して文章ツリーに変換するステップと、
ユーザインターフェイスを介して検索クエリを受取るステップと、
前記検索クエリを前記文章ツリーのうち１つ以上と一致させるステップとを含む、方法。
【請求項１２】
セマンティックテキスト検索クエリシステムであって、
プロセッサと、
前記プロセッサに結合された記憶装置とを含み、前記記憶装置は複数の文章ツリーを記憶し、前記複数の文章ツリーは、テキストコーパスを複数の文章に分離し、各々の文章を構文解析して前記文章ツリーのうちの１つに変換することによって形成され、
前記プロセッサは、検索クエリを受取るユーザインターフェイスを生成するように適合され、
前記プロセッサは、前記検索クエリを前記文章ツリーのうち１つ以上と一致させるように適合されている、セマンティックテキスト検索クエリシステム。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
１以上の光源と、
コントローラと、
を有する照明ユニットであって、前記コントローラが、
１以上の遠隔照明ユニットから、１以上の通信ネットワークを介して、該１以上の遠隔照明ユニットに関連する１以上の識別子を取得し、
前記１以上の遠隔照明ユニットの各々から前記１以上の通信ネットワークを介して少なくとも１つの他の遠隔照明ユニットに関連する照明動作パラメータを取得し、及び
前記１以上の光源を、動作不能な照明ユニットに関連する照明動作パラメータに従って選択的に駆動し、
前記コントローラが、更に、取得された前記１以上の識別子及び照明動作パラメータに基づいて前記動作不能な照明ユニットに関連する識別子を決定する、
照明ユニット。
【請求項２】
前記動作不能な照明ユニットに関連する識別子が、取得された前記１以上の識別子に含まれない、請求項１に記載の照明ユニット。
【請求項３】
前記コントローラが、更に、前記動作不能な照明ユニットの識別子を、前記１以上の遠隔照明ユニットから取得された前記１以上の識別子と前記１以上の遠隔照明ユニットから取得された前記照明動作パラメータとを比較することにより決定する、請求項１に記載の照明ユニット。
【請求項４】
前記コントローラが、更に、当該照明ユニットに、前記動作不能な照明ユニットに以前に関連付けられていた識別子を関連付ける、請求項１に記載の照明ユニット。
【請求項５】
前記コントローラが、更に、前記動作不能な照明ユニットに関連する照明動作パラメータを、当該照明ユニット自体に関連する照明動作パラメータとして記憶する、請求項１に記載の照明ユニット。
【請求項６】
前記コントローラが、更に、前記１以上の遠隔照明ユニットのうちの少なくとも１つに関する照明動作パラメータをバックアップとして記憶する、請求項１に記載の照明ユニット。
【請求項７】
前記コントローラが、更に、前記１以上の遠隔照明ユニットのうちの、その照明動作パラメータを前記動作不能な照明ユニットが以前にバックアップとして記憶していた遠隔照明ユニットに関する照明動作パラメータをバックアップとして記憶する、請求項６に記載の照明ユニット。
【請求項８】
前記コントローラが、更に、交換用遠隔照明ユニットからのリクエストに応答して、当該照明ユニットに関連する識別子と少なくとも１つの遠隔照明ユニットに関する照明動作パラメータとを供給する、請求項１に記載の照明ユニット。
【請求項９】
前記動作不能な照明ユニットに関連する照明動作パラメータが、センサからの１以上の信号に応答して当該照明ユニットがどの様にして前記１以上の光源を選択的に駆動するかについての１以上の命令を含む、請求項１に記載の照明ユニット。
【請求項１０】
前記センサが存在センサ又は昼光センサである、請求項９に記載の照明ユニット。
【請求項１１】
前記動作不能な照明ユニットに関連する照明動作パラメータが、前記１以上の光源により放出されるべき光の１以上の特性を含む、請求項１に記載の照明ユニット。
【請求項１２】
照明ユニットにより１以上の遠隔照明ユニットから１以上の通信ネットワークを介して前記１以上の遠隔照明ユニットに関連する１以上の識別子を取得するステップ、
前記照明ユニットにより前記１以上の遠隔照明ユニットのうちの少なくとも１つから前記１以上の通信ネットワークを介して動作不能な照明ユニットに関連する照明動作パラメータを取得するステップ、
前記照明ユニットにより前記１以上の遠隔照明ユニットの各々から前記１以上の通信ネットワークを介して少なくとも１つの他の遠隔照明ユニットに関連する照明動作パラメータを受信するステップ、
前記照明ユニットにより、取得された前記１以上の識別子及び照明動作パラメータに基づいて、前記動作不能な照明ユニットに関連する識別子を前記１以上の遠隔照明ユニットから取得された前記１以上の識別子と前記１以上の遠隔照明ユニットから取得された前記照明動作パラメータとを比較することにより決定するステップ、及び
前記照明ユニットに関連する１以上の光源を、前記動作不能な照明ユニットに関連する前記照明動作パラメータに示された１以上の特性を持つ光を放出するように選択的に駆動するステップ、
を有する、照明制御方法。
【請求項１３】
前記照明ユニットを、以前に前記動作不能な照明ユニットにより占有されていた固定具内に設置するステップ、及び
前記照明ユニットにより前記設置の検出に応答して前記１以上の遠隔照明ユニットに関連する前記１以上の識別子及び照明動作パラメータを要求するステップ、
を更に有する、請求項１２に記載の照明制御方法。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ストローク受信面で受信したデジタルインク入力を平滑化するために、少なくとも１つのプロセッサを含んだ１つ以上の演算装置で実施される方法であって、
複数のインク点を受信してインク点の第１のセットを確立することと、
前記第１のセットに基づき、第１の３次ベジエ近似を演算することと、
前記第１のセットに対して時間的に後に続いて、第１の追加インク点を受信することと、
前記第１の追加インク点を受信することに少なくとも基づき、前記第１の追加インク点が前記第１の３次ベジエ近似に合致するか否かを動的に判定することと、
前記第１の追加インク点が前記第１の３次ベジエ近似に合致すると判定したことに少なくとも基づき、前記第１の追加インク点を含むように前記第１のセット及び前記第１の３次ベジエ近似を更新し、かつ、前記更新された第１のセットを含む第１の平滑化インク出力を生成することと、
前記第１の追加インク点が前記第１の３次ベジエ近似に合致しないと判定したことに少なくとも基づき、前記第１のセットを終了させてインク点の第２のセットを確立し、かつ、少なくとも前記第１の追加インク点を用いて第２の３次ベジエ近似を開始することと、
前記ストローク受信面に関連するディスプレイ上に、前記第１の平滑化インク出力をレンダリングすることと、
を含む、方法。
【請求項２】
前記第１の追加インク点に対して時間的に後に続いて、第２の追加インク点を受信することと、
前記第２の追加インク点が、前記第１の３次ベジエ近似及び前記第２の３次ベジエ近似の一つに合致するか否かを判定することと、
をさらに含む、請求項１に記載の方法。
【請求項３】
前記第２の追加インク点を含む第２の平滑化インク出力を生成してレンダリングすることをさらに含む、請求項２に記載の方法。
【請求項４】
１つ以上の意図された尖点が存在するか否かを判定することをさらに備え、
意図された尖点が検出されない場合、前記第１の３次ベジエ近似及び前記第２の３次ベジエ近似の間にＣ１連続性を保存する、請求項１に記載の方法。
【請求項５】
前記第１のセットにおける前記複数のインク点及び前記第１の追加インク点は、デジタル化されると連続的に受信され、
前記第１のアクティブベジエ近似は、入力機器が入力データの提供を継続している間に演算される、請求項１に記載の方法。
【請求項６】
前記第１の追加インク点が前記第１の３次ベジエ近似に合致するか否かを判定することは、前記第１のセットにおける直前のインク点及び前記第１の追加インク点で記述される多角形と、前記第１の３次ベジエ近似と、の間の距離を近似することを備える、請求項１に記載の方法。
【請求項７】
前記第１のセットにおける直前の前記インク点及び前記第１の追加インク点を接続する多角形と、前記第１の３次ベジエ近似と、の間の距離が閾値以下である場合、前記第１の追加インク点は、前記第１の３次ベジエ近似に合致すると判定する、請求項６に記載の方法。
【請求項８】
前記閾値は、少なくとも部分的に、前記デジタルインクがレンダリングされるディスプレイの解像度と、前記デジタルインクをレンダリングする変換と、の一方又は双方に基づく、請求項７に記載の方法。
【請求項９】
前記第１の３次ベジエ近似を未来に向かって拡張することにより、時間的に後の時点で受信される少なくとも１つの後続インク点を予測することをさらに備える、請求項１に記載の方法。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
環境を照光するための光を放出する１つ又は複数の照明器具の構成を制御するための制御装置であって、
ユーザによって行われる手動ユーザ入力の指示を受信することと、
カメラによって捕捉される、前記ユーザの少なくとも１つの角膜の少なくとも一部から前記カメラに反射された光によって形成される角膜像を受信することと、
前記照明器具からの前記光に基づいて、前記１つ又は複数の前記照明器具のうち、直接的に前記角膜像内に現れている、又は間接的に前記角膜像を形成する光に寄与している照明器具を識別することと、
前記手動ユーザ入力に応答して、前記１つ又は複数の識別された照明器具の照明を制御することと
を行う、制御装置。
【請求項２】
前記識別することが、前記１つ又は複数の照明器具のうち、直接的に前記角膜像内に現れている照明器具を識別することを含み、
前記制御が、前記手動ユーザ入力に応答して、前記照明器具のうち、直接的に前記角膜像内に現れているものとして識別された照明器具を制御することを含む、請求項１に記載の制御装置。
【請求項３】
前記識別することが、前記１つ又は複数の照明器具のうち、間接的に前記角膜像を形成する光に寄与している照明器具を識別することを含み、
前記制御が、前記手動ユーザ入力に応答して、前記照明器具のうち、間接的に前記光に寄与しているものとして識別された照明器具を制御することを含む、請求項１又は２に記載の制御装置。
【請求項４】
前記制御装置が、前記角膜像内で前記ユーザの視野を決定し、
前記識別することが、前記１つ又は複数の照明器具のうち、前記ユーザの視野内に現れている及び／又は前記視野内の光に寄与している照明器具を識別することを含み、
前記制御が、前記手動ユーザ入力に応答して、前記照明器具のうち、前記視野内に現れている及び／又は前記視野内の光に寄与しているものとして識別される照明器具を制御することを含む、請求項１乃至３の何れか一項に記載の制御装置。
【請求項５】
前記ユーザの視野が、中心領域及び周辺領域を備え、
前記識別することが、前記１つ又は複数の前記照明器具のうち、前記中心領域内に現れている及び／又は前記中心領域内の光に寄与している照明器具を識別することを含み、
前記制御が、前記手動ユーザ入力に応答して、前記照明器具のうち、前記中心領域内に現れている及び／又は前記中心領域内の光に寄与しているものとして識別される照明器具を制御することを含む、請求項４に記載の制御装置。
【請求項６】
前記ユーザの視野が、中心領域及び周辺領域を備え、
前記識別することが、前記１つ又は複数の照明器具のうち、前記周辺領域内に現れている及び／又は前記周辺領域内の光に寄与している照明器具を識別することを含み、
前記制御が、前記手動ユーザ入力に応答して、前記照明器具のうち、前記周辺領域内に現れている及び／又は前記周辺領域内の光に寄与しているものとして識別される照明器具を制御することを含む、請求項４に記載の制御装置。
【請求項７】
前記制御が、
直接的に前記角膜像内に現れている又は間接的に前記角膜像を形成する光に寄与しているものとして識別されるかどうか、
前記ユーザの視野内若しくは視野外に現れているものとして識別されるかどうか、
前記ユーザの視野内若しくは視野外の光に寄与しているものとして識別されるかどうか、
前記ユーザの視野の前記中心領域若しくは周辺領域に現れているものとして識別されるかどうか、及び／又は
前記ユーザの視野の前記中心領域若しくは周辺領域内の前記光に寄与しているものとして識別されるかどうか
の１つ又は複数に応じて、前記１つ又は複数の識別された照明器具の前記制御を適合させることを含む、請求項２乃至６の何れか一項に記載の制御装置。
【請求項８】
前記手動入力が、
ユーザ端末を介して入力される入力、及び／又は
前記ユーザによって行われる身体ジェスチャ
の１つ又は複数を含む、請求項１乃至７の何れか一項に記載の制御装置。
【請求項９】
前記制御装置が、
それぞれの前記照明器具によって放出される符号化光信号，
前記それぞれの照明器具のスペクトル、及び／又は
角膜像内に現れているときの前記それぞれの照明器具の位置
の１つ又は複数に基づいて、１つ又は複数の識別された前記照明器具それぞれを識別する、請求項１乃至８のいずれか一項に記載の制御装置。
【請求項１０】
前記制御が、前記１つ又は複数の識別された照明器具の光放出を、更新後の設定に設定することを含み、新たな設定が、前記手動ユーザ入力に基づいて決定される、請求項１乃至９のいずれか一項に記載の制御装置。
【請求項１１】
前記制御が、前記１つ又は複数の識別された照明器具の光放出を、更新後の設定に設定することを含み、前記制御装置が、前記更新後の設定を自動的に決定するが、前記手動ユーザ入力に応答してトリガされる、請求項１乃至１０のいずれか一項に記載の制御装置。
【請求項１２】
前記決定が、前記角膜像でのコントラストの尺度に基づく、請求項１１に記載の制御装置。
【請求項１３】
環境を照光するための光を放出する１つ又は複数の照明器具の構成を制御する方法であって、
ユーザによって行われる手動ユーザ入力の指示を受信するステップと、
カメラによって捕捉される、前記ユーザの少なくとも１つの角膜の少なくとも一部から前記カメラに反射された光によって形成される角膜像を受信するステップと、
前記照明器具からの前記光に基づいて、前記１つ又は複数の照明器具のうち、直接的に前記角膜像内に現れている、又は間接的に前記角膜像を形成する前記光に寄与している照明器具を識別するステップと、
前記手動ユーザ入力に応答して、前記１つ又は複数の識別された照明器具の照明を制御するステップと
を含む、方法。
【請求項１４】
環境を照光するための光を放出する１つ又は複数の照明器具の構成を制御するためのコンピュータプログラムであって、コードを備え、前記コードが、１つ又は複数のコンピュータ可読記憶媒体に具現化され、１つ又は複数のプロセッサで実行されるときに、
ユーザによって行われる手動ユーザ入力の指示を受信することと、
カメラによって捕捉される、前記ユーザの少なくとも１つの角膜の少なくとも一部から前記カメラに反射された光によって形成される角膜像を受信することと、
前記照明器具からの前記光に基づいて、前記１つ又は複数の照明器具のうち、直接的に前記角膜像内に現れている、又は間接的に前記角膜像を形成する前記光に寄与している照明器具を識別することと、
前記手動ユーザ入力に応答して、前記１つ又は複数の識別された照明器具の照明を制御することと
を行う、コンピュータプログラム。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
燃料電池ユニットであって、
改質器と、
前記改質器と動作可能に流体連通している燃料電池スタックと、
前記燃料電池スタックと動作可能に流体連通しているアフターバーナとを含み、
低レベルの断熱材が、前記燃料電池ユニットの少なくとも１つの面、前記少なくとも１つの面のセグメント又は１つの表面に接触し、隣接し、及び／又は熱連通しており、それにより、前記少なくとも１つの面、前記少なくとも１つの面の前記セグメント又は１つの表面を通した及び／又はそれからの熱伝達を増大させ、
低レベルの断熱材は、前記燃料電池ユニットの他の面、他の面のセグメント、又は他の表面に接触し、隣接し、及び／又は熱連通している断熱材と比較して低レベルであり、
液体熱交換板又は液体熱交換ジャケットであって、前記低レベルの断熱材と熱連通しており、前記少なくとも１つの面、前記少なくとも１つの面のセグメント又は１つの表面を通して及び／又はそれから、前記液体熱交換板又は液体熱交換ジャケットの熱交換液体に熱を優先的に伝達する、液体熱交換板又は液体熱交換ジャケットを含む、燃料電池ユニット。
【請求項２】
前記液体熱交換板又は前記液体熱交換ジャケットは、前記改質器、前記燃料電池スタック及び前記アフターバーナの１つ又は複数を取り囲む、請求項１に記載の燃料電池ユニット。
【請求項３】
前記液体熱交換板又は前記液体熱交換ジャケットは、前記液体熱交換板又は前記液体熱交換ジャケットを燃料電池システムの共通の液体熱交換導管に接続するように構成されたインタフェースを含む、請求項１又は２に記載の燃料電池ユニット。
【請求項４】
前記液体熱交換板又は前記液体熱交換ジャケットと前記共通の液体熱交換導管との間の前記インタフェースは、弁アセンブリを含み、前記弁アセンブリは、クイックコネクト弁、固定オリフィス及び比例弁の１つ又は複数を含み、存在する場合、前記クイックコネクト弁、前記固定弁及び前記比例弁の各々は、前記液体熱交換板又は前記液体熱交換ジャケットと前記共通の液体熱交換導管との間に動作可能な流体連通を提供するように構成されている、請求項３に記載の燃料電池ユニット。
【請求項５】
前記液体熱交換板又は前記液体熱交換ジャケットは、液体熱交換出口を含み、
前記液体熱交換出口は、液体−液体熱交換器、液体−ガス熱交換器、及び空調システムの１つ又は複数と流体連通している、請求項１乃至４のうち何れか１項に記載の燃料電池ユニット。
【請求項６】
前記液体熱交換板又は前記液体熱交換ジャケットは、熱交換液を備える、請求項１乃至５のうち何れか１項に記載の燃料電池ユニット。
【請求項７】
前記熱交換液は、水及びグリコールの少なくとも１つを含む、請求項６に記載の燃料電池ユニット。
【請求項８】
前記熱交換液は、グリコール及び金属を含む、請求項６又は７に記載の燃料電池ユニット。
【請求項９】
前記金属は、ナノサイズの金属粒子を含む、請求項８に記載の燃料電池ユニット。
【請求項１０】
前記断熱材は、固体断熱材を含む、請求項１乃至９のうち何れか１項に記載の燃料電池ユニット。
【請求項１１】
低レベルの固体断熱材は、前記燃料電池ユニットの他の面、他の面のセグメント、又は他の表面に接触し、隣接し、及び／又は熱連通している固体断熱材よりも、固体断熱材の薄いシート又は固体断熱材の薄い層を備える、請求項１０に記載の燃料電池ユニット。
【請求項１２】
低レベルの固体断熱材は、前記燃料電池ユニットの他の面、他の面のセグメント、又は他の表面に接触し、隣接し、及び／又は熱連通している固体断熱材よりも、高い熱伝導を有する固体断熱材料を備える、請求項１０に記載の燃料電池ユニット。
【請求項１３】
燃料電池ユニットを熱的に管理する方法であって、
燃料電池ユニットの面又は表面から優先的に熱を伝達するステップを含み、
低レベルの断熱材が、前記燃料電池ユニットの面、前記面のセグメントもしくは表面に接触し、隣接し、及び／又は熱連通しており、それにより、前記低レベルの断熱材を含む、前記燃料電池ユニットの前記面、前記面の前記セグメント又は前記表面を通した及び／又はそれからの熱伝達を増大させ、
低レベルの断熱材は、前記燃料電池ユニットの他の面、他の面のセグメント、又は他の表面に接触し、隣接し、及び／又は熱連通している断熱材と比較して低レベルであり、
前記低レベルの断熱材に関連付けられる前記燃料電池ユニットの前記面、セグメント、又は表面の少なくとも一つに熱連通している熱交換液を循環させ、それにより、前記面、セグメント、又は表面を通じて又はそれらから前記熱交換液に優先的に熱を伝達するステップを含む、方法。
【請求項１４】
前記熱交換液を循環させるステップは、グリコール及び水の少なくとも一つを含む熱交換液を循環させることを含む、請求項１３に記載の方法。
【請求項１５】
前記熱交換液を循環させるステップは、グリコール及び金属を含む熱交換液を循環させることを含む、請求項１３又は１４に記載の方法。
【請求項１６】
前記金属は、ナノサイズの金属粒子を含む、請求項１５に記載の方法。
【請求項１７】
前記燃料電池ユニットから第２燃料電池ユニットに向かって、加熱された熱交換液を循環させて、前記燃料電池ユニットからの前記加熱された熱交換液の恩恵なしに前記第２燃料電池ユニットにおいて化学反応又は起動を開始する時間と比較して、前記第２燃料電池ユニットにおいて化学反応又は起動を開始する時間を短縮するステップをさらに含む、請求項１３乃至１６のうち何れか１項に記載の方法。
【請求項１８】
前記燃料電池ユニットを燃料電池システムの液体熱交換導管に接続するステップを含む、請求項１３乃至１７のうち何れか１項に記載の方法。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
少なくとも１つの家庭用快適オブジェクト（ＨＣＯ）内に埋め込まれる少なくとも１つの感知ユニットと、
ユーザが前記少なくとも１つの感知ユニットと接触するときの分布パターンと該ユーザの識別とを関連付ける予め定められた規則を含むデータベースと、
前記少なくとも１つの感知ユニットの選択されたものから情報を受信し、前記情報の分布パターンを策定し、前記データベースを用いて前記分布パターンに基づいて前記ユーザ及びユーザプロファイルを識別し、前記識別されたユーザプロファイル及び前記受信された情報に基づいて措置を決定するゲートウェイであって、前記措置は、複数の規則のうちの少なくとも１つの規則が満たされることに基づいて決定される、ゲートウェイと、
前記ゲートウェイからの入力に応答する少なくとも１つの制御可能装置であって、前記ゲートウェイからの前記入力は、決定された前記措置に基づいて決定される、少なくとも１つの制御可能装置と
を含む、プロビジョニングシステム。
【請求項２】
前記少なくとも１つの感知ユニットは、前記ＨＣＯの表面に組み込まれる、請求項１に記載のシステム。
【請求項３】
前記感知ユニットは、触覚センサ、圧力センサ、照明センサ、生体インピーダンスセンサ、心拍センサ、心拍変動センサ、及び直流電気センサの少なくとも１つである、請求項１に記載のシステム。
【請求項４】
前記少なくとも１つの感知ユニットの選択されたものから受信された前記情報は、連続的及び周期的態様の一方で提供される、請求項１に記載のシステム。
【請求項５】
前記データベースは、前記複数の規則及び関連する措置を含む、請求項１に記載のシステム。
【請求項６】
前記少なくとも１つの制御可能装置は、照明システム、電子装置、テレビ、ラジオ、窓の日除け、エアコン、及び自動温度調節器の少なくとも１つを含む、請求項１に記載のシステム。
【請求項７】
メモリ及び少なくとも１つの感知素子と通信するプロセッサであって、
ユーザが前記少なくとも１つの感知素子と接触するときの分布パターンと該ユーザとを関連付ける予め定められた規則を記憶するステップと、
前記少なくとも１つの感知素子によって表面上の接触レベルを受信するステップと、
前記少なくとも１つの感知素子の選択されたものからの受信された前記接触レベルに基づいて分布パターンを形成するステップと、
前記表面と接触しているユーザの位置、識別、場所、姿勢、及び健康度の少なくとも１つに関する情報を前記分布パターンに基づいて導出するステップと、
前記分布パターンの少なくとも１つに基づいて時空間的情報を導出するステップと、
措置に関連する少なくとも１つの規則に対して、導出された前記情報をマッチングするステップと、
前記導出された情報とマッチングする前記少なくとも１つの規則のうちの１つを選択するステップと、
選択された前記規則に関連する措置を付与するステップであって、前記措置の付与は前記少なくとも１つの感知素子の周囲の条件の変化を引き起こす、ステップと
を実行するために前記メモリ内に記憶された命令を実行する、プロセッサ
を含む、サービスプロバイダシステム。
【請求項８】
前記位置の特定は、
前記少なくとも１つの感知素子のそれぞれの位置をマッチングすることであって、前記圧力感知素子のそれぞれは一意の識別番号を有する、マッチングすることと、
前記位置の少なくとも１つに基づいて前記位置を特定することと
を含む、請求項７に記載のサービスプロバイダシステム。
【請求項９】
前記識別の特定は、前記分布パターンを少なくとも１つのユーザプロファイルの１つとマッチングすることであって、前記少なくとも１つのユーザプロファイルのそれぞれは識別情報を含む、マッチングすることを含む、請求項７に記載のサービスプロバイダシステム。
【請求項１０】
前記姿勢の特定は、前記分布パターンに基づく、請求項７に記載のサービスプロバイダシステム。
【請求項１１】
前記健康度の特定は、前記少なくとも１つの感知素子によって測定される情報に基づく、請求項７に記載のサービスプロバイダシステム。
【請求項１２】
対応する識別情報に関連する複数の位置に基づいて近接グラフを特定することを更に含む、請求項７に記載のサービスプロバイダシステム。
【請求項１３】
前記近接グラフに基づいて交流状況を特定することを更に含む、請求項１２に記載のサービスプロバイダシステム。
【請求項１４】
前記少なくとも１つの規則及び関連する措置を含むデータベースを更に含む、請求項７に記載のサービスプロバイダシステム。
【請求項１５】
照明システム、電子装置、テレビ、ラジオ、窓の日除け、エアコン、及び自動温度調節器の少なくとも１つを含む少なくとも１つの制御可能装置であって、前記感知素子の前記周囲の変化は、前記少なくとも１つの制御可能装置のうちの１つの状態の変化を含む、少なくとも１つの制御可能装置を更に含む、請求項７に記載のサービスプロバイダシステム。
【請求項１６】
少なくとも１つの制御可能装置を制御するためのゲートウェイであって、
少なくとも１つの家庭用快適オブジェクト（ＨＣＯ）に埋め込まれる少なくとも１つの触覚感知ユニットから情報を受信する、
前記情報の圧力分布パターンを策定する、
前記圧力分布パターンに基づいてユーザプロファイルを識別する、
前記識別されたユーザプロファイル及び前記受信された情報に基づいて措置を決定し、前記措置は、複数の規則のうちの少なくとも１つの規則が満たされることに基づいて決定される、及び
決定された前記措置に基づいて前記少なくとも１つの制御可能装置を制御する、
よう構成される、ゲートウェイ。
【請求項１７】
少なくとも１つの家庭用快適オブジェクト（ＨＣＯ）に埋め込まれる少なくとも１つの触覚感知ユニットと、
請求項１６に記載のゲートウェイと、
前記ゲートウェイからの入力に応答する少なくとも１つの制御可能装置であって、前記ゲートウェイからの前記入力は、決定された前記措置に基づいて決定される、少なくとも１つの制御可能装置と、
を含む、プロビジョニングシステム。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
酢酸エチルと、
１つ以上のリチウム塩と、
炭酸ビニレンを含む少量溶媒成分と、を含有する電解質組成物であって、
前記酢酸エチルは、前記電解質組成物の総体積を基準として少なくとも５０体積％の量で前記電解質組成物中に存在し、
前記少量溶媒成分は、前記電解質組成物の総体積を基準として最大３０体積％の量で前記電解質組成物中に存在する、電解質組成物。
【請求項２】
正極と、
負極と、
請求項１に記載の電解質組成物と、を備え、
前記負極は活物質を含有し、前記負極の前記活物質はケイ素合金を含む、電気化学セル。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
前面と後面とを有する一方向ディスプレイであって、前記前面は、前記前面からディスプレイを見るディスプレイ観察者へ画像を表示するように設計され、前記後面は、前記後面からディスプレイを見るディスプレイ観察者へシースルー能力を提供するように設計される、一方向ディスプレイにおいて、
透明材料で作られた少なくとも２つの層と、
前記透明材料の層間にはさまれ、前記ディスプレイの領域全体にわたってグループで取り付けられた複数の主発光素子であって、前記主発光素子の各グループは前記ディスプレイのカラーピクセルを構成し、各ピクセルは、前記主発光素子から発射された光の構成要素の色（ｃｏｍｐｏｎｅｎｔ  ｃｏｌｏｒ）の組み合わせにより前記ピクセルに必要な色を提供するように光の構成要素の色を提供する少なくとも３つの隣接したまたは積層された発光素子からなる、複数の主発光素子と、
グループで配置された複数の狭帯域フィルタであって、各グループは、それぞれ前記主発光素子から発射され前記ディスプレイの後面に向かう光の構成要素の色の狭帯域の範囲の光を遮断するために表示ピクセルを構成する前記主発光素子と並列に取り付けられた少なくとも３つの狭帯域フィルタからなる、複数の狭帯域フィルタとを含み、
前記ディスプレイはさらに、前記狭帯域フィルタに近接してグループで前記ディスプレイの領域全体にわたって取り付けられた複数の追加発光素子を含み、
前記追加発光素子の各グループは前記ディスプレイのカラーピクセルを構成し、
各ピクセルは、光の構成要素の色を提供する少なくとも３つの隣接するまたは積層された発光素子からなり、前記狭帯域フィルタを通過し前記ディスプレイ後面へ向かう複数の主発光素子からの光の色を中和するための前記追加発光素子の前記電極上に駆動信号を印加するとともに前記複数の主発光素子からの前記ディスプレイ後面上の放射光を前記複数の追加発光素子と共に日中は白色またはほぼ白色または黄昏時は灰色またはほぼ灰色にするためのピクセル駆動回路と動作可能に接続される、一方向ディスプレイ。
【請求項２】
光の構成要素の色を提供するとともに各カラーピクセルを構成する少なくとも３つの主発光素子の前記各グループと少なくとも３つの追加発光素子の前記各グループは、赤、緑色および青色発光素子である、請求項１に記載の一方向ディスプレイ。
【請求項３】
前記発光素子は発光ダイオード（ＬＥＤ）である、請求項１又は２に記載の一方向ディスプレイ。
【請求項４】
前記発光素子は有機発光ダイオード（ＯＬＥＤ）である、請求項１又は２に記載の一方向ディスプレイ。
【請求項５】
前記狭帯域フィルタはノッチフィルタである、請求項１〜４のいずれか一項に記載の一方向ディスプレイ。
【請求項６】
前記ノッチフィルタはカラーノッチ偏光子である、請求項５に記載の一方向ディスプレイ。
【請求項７】
ピクセル毎ベースで配置された光ファイバなどの光導波路をさらに含む請求項１に記載の一方向ディスプレイであって、前記光ファイバの遠端部は前記ディスプレイ前面に当接されるように、前記光ファイバの近端部は前記発光素子へ作動可能に接続されるように配置される、一方向ディスプレイ。
【請求項８】
前記層は平坦形状である、請求項１に記載の一方向ディスプレイ。
【請求項９】
前記層は筒形状である、請求項１に記載の一方向ディスプレイ。
【請求項１０】
前記層は立方形である、請求項１に記載の一方向ディスプレイ。
【請求項１１】
透明材料で作られた少なくとも２つの層を提供する工程と、
前記透明材料の層間にはさまれ、ディスプレイの領域全体にわたってグループで取り付けられた複数の主発光素子を提供する工程であって、前記主発光素子の各グループは前記ディスプレイのカラーピクセルを構成し、各ピクセルは、前記主発光素子から発射された光の構成要素の色（ｃｏｍｐｏｎｅｎｔ  ｃｏｌｏｒ）の組み合わせにより前記ピクセルに必要な色を提供するように光の構成要素の色を提供する少なくとも３つの隣接したまたは積層された発光素子からなる、工程と、
グループで配置された複数の狭帯域フィルタを提供する工程であって、各グループは、それぞれ前記主発光素子から発射され前記ディスプレイの後面に向かう光の構成要素の色の狭帯域の範囲の光を遮断するために表示ピクセルを構成する前記主発光素子と並列に取り付けられた少なくとも３つの狭帯域フィルタからなる、工程と、
前記一方向ディスプレイにより表示される画像を再生するためにピクセル駆動回路を提供する工程と、
前記狭帯域フィルタに近接してグループで前記ディスプレイの領域全体にわたって取り付けられる複数の追加発光素子を提供する工程であって、前記追加発光素子の各グループは前記ディスプレイのカラーピクセルを構成し、各ピクセルは、光の構成要素の色の組み合わせにより前記ピクセルに必要な色を提供するとともに前記ディスプレイ裏面に向かって前記狭帯域フィルタを通過する光の色を中和するように光の構成要素の色を提供する少なくとも３つの隣接したまたは積層された発光素子からなる、工程と、
前記駆動回路により前記信号の大きさを計算し、前記追加発光素子の電極上に前記信号を印加し、前記複数の主発光素子からの前記放射光を前記複数の追加発光素子と共に日中は白色またはほぼ白色または黄昏時は灰色またはほぼ灰色にする、工程と、を含む一方向表示ピクセル素子駆動方法。
【請求項１２】
光の構成要素の色を提供するとともに各カラーピクセルを構成する少なくとも３つの主発光素子の前記各グループと少なくとも３つの追加発光素子の前記各グループは、赤、緑色および青色発光素子である、請求項１１に記載の一方向表示ピクセル素子駆動方法。
【請求項１３】
前記発光素子は発光ダイオード（ＬＥＤ）である、請求項１１に記載の一方向表示ピクセル素子駆動方法。
【請求項１４】
前記発光素子は有機発光ダイオード（ＯＬＥＤ）である、請求項１１に記載の一方向表示ピクセル素子駆動方法。
【請求項１５】
前記狭帯域フィルタはノッチフィルタである、請求項１１に記載の一方向表示ピクセル素子駆動方法。
【請求項１６】
前記ノッチフィルタはカラーノッチ偏光子である、請求項１５に記載の一方向表示ピクセル素子駆動方法。